【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
入力信号を受け取り、第１の増幅された信号と第２の増幅された信号とを生成するトランスコンダクタンス回路と、
ミキシング回路と、
を含む装置であって、
前記ミキシング回路が、
前記第１の増幅された信号を受け取るように前記トランスコンダクタンス回路に結合される第１のミキサであって、前記第１のミキサが前記第１の増幅された信号をミキシング信号とミキシングし、前記ミキシング信号が局部発振器デューティサイクルの一部であるデューティサイクルを有する、前記第１のミキサと、
前記第２の増幅された信号を受け取るように前記トランスコンダクタンス回路に結合される第２のミキサであって、前記第２の増幅された信号を前記ミキシング信号とミキシングする、前記第２のミキサと、
前記第１及び第２のミキサの各々に結合される第１のインピーダンスネットワークであって、フィードバックインピーダンスを有するように適合される、前記第１のインピーダンスネットワークと、
前記第１及び第２のミキサの各々に結合される第２のインピーダンスネットワークであって、前記フィードバックインピーダンスを有するように適合される、前記第２のインピーダンスネットワークと、
各インピーダンスネットワークに結合される差動増幅器と、
前記トランスコンダクタンス回路と前記第１のミキサとの間に結合される第１のキャパシタと、
前記トランスコンダクタンス回路と前記第２のミキサとの間に結合される第２のキャパシタと、
を含み、
前記第１のインピーダンスネットワークが、前記第１のミキサに結合される第１のレジスタと、前記第１のレジスタと直列に結合される第２のレジスタと、前記第１のレジスタと並列に結合される第１のスイッチとを含み、
前記第１及び第２のレジスタの集合的インピーダンスが前記フィードバックインピーダンスにほぼ等しく、前記第２のミキサが前記第１及び第２のレジスタ間のノードに結合される、装置。
【請求項２】
請求項１に記載の装置であって、
前記第１のインピーダンスネットワークが、前記第１のミキサに結合される第３のレジスタと、前記第３のレジスタと直列に結合される第４のレジスタと、前記第１のレジスタと並列に結合される第２のスイッチとを更に含み、
第３及び第４のレジスタの集合的インピーダンスが前記フィードバックインピーダンスにほぼ等しく、前記第２のミキサが前記第１及び第２のレジスタ間のノードに結合される、装置。
【請求項３】
請求項１に記載の装置であって、
前記第１のインピーダンスネットワークが、前記フィードバックインピーダンスを有する第１のレジスタを更に含み、前記第２のインピーダンスネットワークが、前記フィードバックインピーダンスを有する第２のレジスタを更に含む、装置。
【請求項４】
請求項３に記載の装置であって、
前記ミキシング回路が、第２のキャパシタに結合されるダミー経路を更に含む、装置。
【請求項５】
請求項３に記載の装置であって、
前記差動増幅器が第１の差動増幅器を更に含み、
前記ダミー経路が、前記第２のキャパシタに結合される第３のミキサと、前記第３のミキサに結合される第２の差動増幅器とを更に含む、装置。
【請求項６】
請求項５に記載の装置であって、
前記一部が第１の一部を更に含み、前記ミキシング信号が第１のミキシング信号を更に含み、前記第３のミキサが、前記第２の増幅された信号を、前記局部発振器デューティサイクルの第２の一部であるデューティサイクルを有する第２のミキシング信号とミキシングする、装置。
【請求項７】
請求項５に記載の装置であって、
第１及び第２のミキサの各々からの前記トランジスタが第１のサイズを有し、前記第３のミキサからの前記トランジスタが第２のサイズを有する、装置。
【請求項８】
請求項１に記載の装置であって、
前記トランスコンダクタンス回路が、
第１の電流を有する第１の電流源、
前記第１の電流よりＫ倍大きい第２の電流を有する第２の電流源、
前記第１の電流源に結合され、且つ、第１のバイアス電圧を受け取る第１のトランジスタ、
前記第１のトランジスタに結合され、且つ、入力信号と第２のバイアス電圧とを受け取る第２のトランジスタ、
前記第２の電流源に結合され、且つ、第１のバイアス電圧を受け取る第３のトランジスタ、及び
前記第３のトランジスタに結合され、且つ、前記入力信号と前記第２のバイアス電圧とを受け取る第４のトランジスタ、
を含む、装置。
【請求項９】
請求項８に記載の装置であって、
前記トランスコンダクタンス回路が、前記第４のトランジスタに結合され、前記第２のバイアス電圧を受け取るレジスタと、前記第４のトランジスタに結合され、前記入力信号を受け取るキャパシタとを更に含む、装置。
【請求項１０】
請求項８に記載の装置であって、
ミキシング回路が、前記トランスコンダクタンス回路と前記第１のミキサとの間に結合される第１のキャパシタと、前記トランスコンダクタンス回路と前記第２のミキサとの間に結合される第２のキャパシタとを更に含む、装置。
【請求項１１】
請求項１０に記載の装置であって、
前記第１のインピーダンスネットワークが、前記第１のミキサに結合される第１のレジスタと、前記第１のレジスタと直列に結合される第２のレジスタと、前記第１のレジスタと並列に結合される第１のスイッチとを更に含み、
前記第１及び第２のレジスタの集合的インピーダンスが前記フィードバックインピーダンスにほぼ等しく、前記第２のミキサが前記第１及び第２のレジスタ間のノードに結合される、装置。
【請求項１２】
請求項１１に記載の装置であって、
前記第１のインピーダンスネットワークが、前記第１のミキサに結合される第３のレジスタと、前記第３のレジスタと直列に結合される第４のレジスタと、前記第１のレジスタと並列に結合される第２のスイッチとを更に含み、
第３及び第４のレジスタの集合的インピーダンスが前記フィードバックインピーダンスにほぼ等しく、前記第２のミキサが前記第１及び第２のレジスタ間のノードに結合される、装置。
【請求項１３】
請求項１０に記載の装置であって、
前記第１のインピーダンスネットワークが、前記フィードバックインピーダンスを有する第１のレジスタを更に含み、
前記第２のインピーダンスネットワークが、前記フィードバックインピーダンスを有する第２のレジスタを更に含む、装置。
【請求項１４】
請求項１３に記載の装置であって、
前記ミキシング回路が、第２のキャパシタに結合されるダミー経路を更に含む、装置。
【請求項１５】
請求項１３に記載の装置であって、
前記差動増幅器が第１の差動増幅器を更に含み、
前記ダミー経路が、前記第２のキャパシタに結合される第３のミキサと、前記第３のミキサに結合される第２の差動増幅器とを更に含む、装置。
【請求項１６】
請求項１５に記載の装置であって、
前記一部が第１の一部を更に含み、前記ミキシング信号が第１のミキシング信号を更に含み、前記第３のミキサが前記第２の増幅された信号を第２のミキシング信号とミキシングし、前記第２のミキシング信号が前記局所発振器デューティサイクルの第２の一部である第１のデューティサイクルを有する、装置。
【請求項１７】
請求項１５に記載の装置であって、
前記第１及び第２のミキサの各々からのトランジスタが第１のサイズを有し、前記第３のミキサからのトランジスタが第１のサイズのＫ−１倍の第２のサイズを有する、装置。